(57)【要約】      （修正有）【課題】何時でも清潔に保たれる蛇口の湯圧を利用した強力マイナスイオン発生装置を提供する。【解決手段】家庭用又は、ホテル用の風呂の中に、強力マイナスイオンの発生装置の取り付け方法により、合理的に投入湯、圧力を使用しマイナスイオン電気鉱石成分からマイナスイオンを発生させ、入浴湯と混合する。【選択図】図４
2009183652.tif 000002
【特許請求の範囲】
【請求項１】
家庭用又は、ホテル用の風呂の中に、今回開発した強力マイナスイオンの発生装置の取り付け方法により、合理的に投入湯、圧力を使用しマイナスイオン電気鉱石成分からマイナスイオンを発生させ、入浴湯と混合する装置である。
【請求項２】
円筒又は（容器の型には、こだわらず）その容器にトルマリン鉱石と黒曜石（電気鉱石）等を混合し容器の中でマイナスイオンを発生させて、蛇口からの水圧及び湯圧力でマイナスイオン湯となる装置の開発である。
【請求項３】
長野県和田峠産の黒曜石を長年研究した結果、黒曜石とトルマリン鉱石及び、リンサンエン鉱物を混合し、イオンボールを開発し、他には無い強力マイナスイオンボールの作成が出来、人体に良い成分が出来たのです。
秋田県の多摩川温泉（北投石）以上のマイナスイオンが発生出来る黒曜石イオンボールが開発されたのです、黒曜石イオンボールから出るマイナスイオンは、１ボール（Φ１０ｍｍ）当り２７００個１ＣＣ（株式会社佐藤商事形式ＣＯＭ−３０１０ＰＲＯ使用）の測定器から出ています。
今回開発された容器からは、上記の佐藤会社の測定で２０秒間に１ｃｍ３１０．０００個マイナスイオンが永久的に持続します。
【請求項４】
今回の開発により、コンパクトで湯壷の中に取り付け方法が簡単に出来、家庭用のお風呂が温泉気分で使用が出来るのでマイナスイオン効果により、美と健康に最適です。
【発明の詳細な説明】
【技術分野】
【背景技術】
【０００１】  本発明は、お風呂に湯を入れる蛇口からの湯、圧力を利用して効果的なマイナスイオンを発生させる装置である。【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが鉱石の量が小量で圧力が出る装置等があっても湯壷の湯を巡回している為、器具の中が不衛生である、湯壷の中に置くだけではマイナスイオンの発生が不可能と身体から搬出されたアカ等で器具の中が不衛生である。
【発明の開示】
【発明が解決しようとする課題】
【０００３】  本発明はこのような従来の問題点に着目してなされたものであり、一般の湯壷又は・ホテルの湯壷で強力マイナスイオン発生装置を持ち得る事により、又、蛇口からの湯の圧力でマイナスイオンが発生する、湯の流れで容器の中が何時も清潔である。
【課題を解決するための手段】
【０００４】  上記目的を達成するために、本発明により塩素の含まれた水道水、又人体に与える有害水等を自動的にマイナスイオン・遠赤外線・抗菌作用を発生させて身体に良い湯に変える事が出来る装置を長年の研究と実験で実証が出来た。
トルマリン風呂・サウナ・岩盤浴関係等の温水を自動的に湯壷の中で作成が出来、温熱効果の良い温水風呂に変化する事が出来る小型化装置である。
エアー式・循環式等は電気を要するので、浴室には漏電問題とホース配線設置が容易である。その問題点を今回の開発で解決が出来ました。【０００５】  一般家庭、ホテル用の風呂の場合１５蛇口に特殊強力マイナスイオン発生器を連携した１６ホースを１７に取り付ける。
１１湯入り口、配管より、４強力マイナスイオン発生セラミックスボールに湯が接触して７中間パイプに入る。中間パイプの中にトルマリン鉱石・黒曜石。その他の鉱石等が配合してあり、湯の圧力でマイナスイオンの発生を増加し・・、５の噴出し口より、外周のトルマリン鉱石・黒曜石・他の鉱石等に湯の圧力が架わり、マイナスイオン湯となって出る装置である。
又、健康に良い鉱石特有のイオンが発生します。
長野県和田峠産黒曜石を利用した黒曜石とトルマリン鉱石及びリンサンエン鉱物を粉末ミックスに作成して、９００度から１０００度以下でセラミックスボール４強力特殊マイナスイオンボールを作成し、１４籠に（図面２のように特殊マイナスイオンボールを設置する。又、（図面２）（図面３）のように強力特殊マイナスイオンボールを（図面３）、断面図のようにセットして、湯の圧力でマイナスイオンが発生続ける装置です。
【発明の効果】
【０００６】  トルマリン鉱石は人体に効能効果がある薬石として世間で数多くの色々な方法で使用されている鉱石である。特にトルマリン鉱石を飲料水に多く使用されている、その鉱石をお風呂に使用する事により身体全体の活性化が出来る。
黒曜石は昔から健康水として黒曜石を色々な方法で加工されて使用している。
特許出願者荻原大が開発した数多くのサウナ関係及び岩盤浴関係に関して黒曜石を使用した事は、類の無い初期開発である。【０００７】岩塩を一緒に湯壷に搬入すると、マイナスイオン水で効能効果が高まる、岩塩は昔から健康摩擦療法に使用されている。ボイラー製造素材に塩分に強いボイラーを使用する事を条件とする。体験実験では年月が掛かるのでボイラーの耐久性結果は出ていない。
【発明を実施するための最良の形態】
【０００８】  使用する黒曜石は産地として有名な長野県和田峠産であり、その成分含有率の一例を表１に示す。
【表１】
2009183652.tif 000003
2009183652.tif 000004
【表２】
2009183652.tif 000005
上記の鉱石で永年実験と体験場（当社）５万人の入浴者  結果と要望で発案された家庭用及びホテル用に半永久的マイナスイオンが持続し、使用が出るコンパクト装置である。
【図面の簡単な説明】
【０００９】
【図１】は全体の断面図マイナスイオン発生する本体である。家庭用風呂又は、ホテル湯壷の中に入れて置く事によりマイナスイオンが発生できる装置である。本体の中に９黒曜石及び、８トルマリン鉱石等を詰めて（図面１）断面図７パイプの中筒に無数の５穴を開けて湯の圧力を加え、又、湯の圧力を平均化して噴出させろ事が出来る、マイナスイオンを発生する本体の装置である。
【００１０】
【図２】は特殊強力マイナスイオン発生ボールをパッチング盤の中に６外側のリングと７中側リングを固定したところに（図面２）強力マイナスイオン発生ボーを詰めた本体の上下１０・１４のように取り付ける装置である。
【００１１】
【図１】マイナスイオン発生装置の  断面図。
【図２】特殊マイナスイオン発生ボール配置  平面図。
【図３】（図２）の  断面図。
【符号の説明】
【００１９】１．穴あきの上蓋  （パッチング板）。
２．外周の筒      （パッチング板）。
３．矢印・・湯又は、水の噴出し方向。
４．強力マイナスイオン発生鉱石イオンボール。
５．湯の噴出し穴。
６．外周筒、（パッチング板）。
７．中間の筒、湯噴出し穴を開ける。
８．トルマリン鉱石。
９．黒曜石。
１０．パッチング籠。
１１．湯・・送り口  （パイプ）。
１２．湯・・噴出し口。
１３．つり金具取り付け輪。
１４．マイナスイオン発生ポール入れる籠。
１５．蛇口、湯又は水道の出口。
１６．ホース。
１７．ホース取り付け、ネジ、（バンド金具）
１８．湯船。
現在  資材はステンレス制を使用しています。量産の時はプラスチック製を考えています。
【図１】
2009183652.tif 000006
【図２】
2009183652.tif 000007
【図３】
2009183652.tif 000008
【図４】
2009183652.tif 000009
【手続補正書】
【提出日】平成20年4月9日(2008.4.9)
【手続補正２】
【補正対象書類名】明細書
【補正対象項目名】全文
【補正方法】変更
【補正の内容】
【発明の詳細な説明】
【技術分野】
【０００１】
【背景技術】  本発明は、お風呂に湯を入れる蛇口からの湯、圧力を利用して効果的なマイナスイオンを発生させる装置である。【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが鉱石の量が小量で圧力が出る装置等があっても湯壷の湯を巡回している為、器具の中が不衛生である、湯壷の中に置くだけではマイナスイオンの発生が不可能と身体から搬出されたアカ等で器具の中が不衛生である。
【発明の開示】
【発明が解決しようとする課題】
【０００３】  本発明はこのような従来の問題点に着目してなされたものであり、一般の湯壷又は・ホテルの湯壷で強力マイナスイオン発生装置を持ち得る事により、又、蛇口からの湯の圧力でマイナスイオンが発生する、湯の流れと圧力でマイナスイオン発生容器の中が何時も清潔である。
【課題を解決するための手段】
【０００４】  上記目的を達成するために、本発明により塩素の含まれた水道水、又人体に与える有害水等を自動的にマイナスイオン・遠赤外線・抗菌作用を発生させて身体に良い湯に変える事が出来る装置を長年の研究と実験で実証が出来た。
トルマリン風呂・サウナ・岩盤浴関係等の温水を自動的に湯壷の中で作成が出来、温熱効果の良い温水風呂に変化する事が出来る小型化装置である。
エアー式・循環式等は電気を要するので、浴室には漏電問題とホース配線設置が容易である。その問題点を今回の開発で解決が出来ました。【０００５】  一般家庭、ホテル用の風呂の場合１５蛇口に特殊強力マイナスイオン発生器を連携した１６ホースを１７に取り付ける。
１１湯入り口、配管より、４強力マイナスイオン発生セラミックスボールに湯が接触して７中間パイプに入る。中間パイプの中にトルマリン鉱石・黒曜石。その他の鉱石等が配合してあり、湯の圧力でマイナスイオンの発生を増加し・・、
５の噴出し口より、外周のトルマリン鉱石・黒曜石・他の鉱石等に湯の圧力が架わり、マイナスイオン湯となって出る装置である。
又、健康に良い鉱石特有のイオンが発生します。
長野県和田峠産黒曜石を利用した黒曜石とトルマリン鉱石及びリンサンエン鉱物を粉末ミックスに作成して、９００度から１０００度以下でセラミックスボール４強力特殊マイナスイオンボールを作成し、１４籠に（図面２）のように特殊マイナスイオンボールを設置する。又、（図面２）（図面３）のように強力特殊マイナスイオンボールを（図面３）、断面図のようにセットして、湯の圧力でマイナスイオンが発生続ける装置です。
【発明の効果】
【０００６】  トルマリン鉱石は人体に効能効果がある薬石として世間で数多くの色々な方法で使用されている鉱石である。特にトルマリン鉱石を飲料水に多く使用されている、その鉱石をお風呂に使用する事により身体全体の活性化が出来る。
黒曜石は昔から健康水として黒曜石を色々な方法で加工されて使用している。
特許出願者荻原大が開発した数多くのサウナ関係及び岩盤浴関係に関して黒曜石を使用した事は、類の無い初期開発である。【０００７】岩塩を一緒に湯壷に搬入すると、マイナスイオン水で効能効果が高まる、
岩塩は昔から健康摩擦療法に使用されている。ボイラー製造素材に塩分に強いボイラーを使用する事を条件とする。体験実験では年月が掛かるのでボイラーの耐久性結果は出ていない。
【発明を実施するための最良の形態】
【０００８】  使用する黒曜石は産地として有名な長野県和田峠産であり、その成分含有率の一例を表１に示す。
【表１】
2009183652.tif 000010
【表２】
2009183652.tif 000011
2009183652.tif 000012
上記の鉱石で永年実験と体験場（当社）５万人の入浴者  結果と要望で発案された家庭用及びホテル用に半永久的マイナスイオンが持続し、使用が出るコンパクト装置である。【０００９】  （図面１）は全体の断面図マイナスイオン発生する本体である。家庭用風呂又は、ホテル湯壷の中に入れて置く事によりマイナスイオンが発生できる装置である。本体の中に９黒曜石及び、８トルマリン鉱石等を詰めて（図面１）断面図７パイプの中筒に無数の５穴を開けて湯の圧力を加え、又、湯の圧力を平均化して噴出させる事が出来る、マイナスイオンを発生する本体の装置である。【００１０】  （図２）は特殊強力マイナスイオン発生ボールをパッチング盤の中に６外側のリングと７中側リング  を固定したところに（図面２）強力マイナスイオン発生ボーを詰めた本体の上下１０・１４のように取り付ける装置である。
【図面の簡単な説明】
【００１１】
【図１】マイナスイオン発生装置の  断面図。
【図２】特殊マイナスイオン発生ボール配置  平面図。
【図３】（図２）の  断面図。
【図４】マイナスイオン発生容器を取り付けした湯壷の断面図。
【符号の説明】
【００１２】１．穴あきの上蓋  （パッチング板）。
２．外周の筒      （パッチング板）。
３．矢印・・湯又は、水の噴出し方向。
４．強力マイナスイオン発生鉱石イオンボール。
５．湯の噴出し穴。
６．外周筒、（パッチング板）。
７．中間の筒、湯噴出し穴を開ける。
８．トルマリン鉱石。
９．黒曜石。
１０．パッチング籠。
１１．湯・・送り口  （パイプ）。
１２．湯・・噴出し口。
１３．つり金具取り付け輪。
１４．マイナスイオン発生ポール入れる籠。
１５．蛇口、湯又は水道の出口。
１６．ホース。
１７．ホース取り付け、ネジ、（バンド金具）
１８．湯船。
現在  資材はステンレス制を使用しています。量産の時はプラスチック製を考えています。